(57)【要約】【課題】遊技機における所定の入賞条件の達成を決定するため遊技態様を一層趣向性に富んだ態様で遊技者に提示することが可能な遊技機の構成技術を提供する提供する。【解決手段】特典遊技状態における第１のラウンドにおいて、次ラウンド移行条件が達成されることで当該第１のラウンドから第２のラウンドへ移行するように構成された遊技機であって、当該第１のラウンドにおける遊技状態として、前記次ラウンド移行条件の達成を常時に規制する第１の遊技状態と、前記次ラウンド移行条件の達成を前記第１のラウンドの満了まで保留する第２の遊技状態１６１と、前記次ラウンド移行条件の達成を常時に許容する第３の遊技状態との間で切り替え可能に構成されていることを特徴とする。【選択図】        図８
2004208909.tif 000002
【特許請求の範囲】
【請求項１】
特典遊技状態における第１のラウンドにおいて、次ラウンド移行条件が達成されることで当該第１のラウンドから第２のラウンドへ移行するように構成された遊技機であって、
当該第１のラウンドにおける遊技状態として、
前記次ラウンド移行条件の達成を常時に規制する第１の遊技状態と、
前記次ラウンド移行条件の達成を前記第１のラウンドの満了まで保留する第２の遊技状態と、
前記次ラウンド移行条件の達成を常時に許容する第３の遊技状態との間で切り替え可能に構成されていることを特徴とする遊技機。
【発明の詳細な説明】
【０００１】
【発明の属する技術分野】
本発明は、入賞装置を有する遊技機に関し、詳しくは遊技球による所定の入賞条件の達成のための態様に工夫を講じることで遊技の趣向性を向上した遊技機に関する。
【０００２】
【従来の技術】
遊技機の一例として、所定の遊技状態を複数のラウンドで継続するための権利付与の可否を決定する入賞装置を有するパチンコ機の構成が特許文献１（特開２００２−１７７６１２号公報）に開示されている。この遊技機においては、特典遊技における一のラウンドにおいて、次ラウンドへ移行するための条件を達成した場合に、直ちに次ラウンドへ移行するのではなく、当該ラウンドの満了に至るまで次ラウンド移行条件が達成されるのを保留する遊技形態の構成技術、および当該技術に関して遊技者への報知を確実化するための技術が開示されている。
【０００３】
上記従来の遊技機における典型的な遊技形態として、所定のラウンドまでは、次ラウンド移行条件の達成を保留する遊技状態が設定されることで、そのラウンドの満了まで遊技を継続することが可能とされる。一方、当該所定のラウンド以降のラウンドにおいては、次ラウンド移行条件の達成保留機構が解除されることで、そのラウンドの満了まで遊技を継続することが困難となるように構成される。このような遊技形態は、所定の入賞条件実行によって次ラウンドへの移行権を確保するのに遊技者の技術を相当程度介入させる必要があるという意味において、いわゆる「技術介入」モードとして一般に知られている。
【０００４】
ところで、上記のように所定のラウンドの前後において、実行ラウンドの満了に至るまで遊技を継続することの可否の確率が可変とされる遊技形態につき、さらに工夫を講じることで、趣向性が一層向上された遊技機の構成技術を探求すべきという要請が高い。
【０００５】
【特許文献１】
特開２００２−１７７６１２号公報
【０００６】
【発明が解決しようとする課題】
本発明は、かかる点に鑑みてなされたものであり、遊技機における所定の入賞条件の達成を決定するため遊技態様を一層趣向性に富んだ態様で遊技者に提示することが可能な遊技機の構成技術を提供することを目的とする。
【０００７】
【課題を解決するための手段】
上記課題を達成するため、請求項記載の発明が構成される。
請求項１に記載の発明によれば、特典遊技状態における第１のラウンドにおいて次ラウンド移行条件が達成されることにより、当該第１のラウンドから第２のラウンドへ移行するように構成された遊技機が構成される。そして当該第１のラウンドにおける遊技状態として、第１、第２および第３の遊技状態の間で切り替え可能に構成される。第１の遊技状態では、次ラウンド移行条件の達成が常時に規制される。また第２の遊技状態では、次ラウンド移行条件の達成が第１のラウンドの満了まで保留される。第３の遊技状態では、次ラウンド移行条件の達成が常時に許容される。
【０００８】
遊技者は、第１の遊技状態では、次ラウンドへの移行が未だ可能とされない状態での遊技を行なうことになる。また第２の遊技状態では、次ラウンド移行条件の達成が第１のラウンド満了まで保留されることで、遊技者は、次ラウンドへ移行する権利をほぼ確保しつつ、当該第１のラウンドにおける所定の遊技状態を最後まで継続することが可能となる。さらに第３の遊技状態では、遊技者は、第１のラウンドの満了まで遊技を継続することはできないものの、次ラウンドへの移行を確定的に得ることが可能となる。そして遊技者は、これらの各種の遊技状態が切り替えられていく中で遊技を行なうことで、各種の遊技戦略を考慮しながら楽しむことができる。これにより趣向性に富んだ遊技機が提供されることとなった。
【０００９】
なお、本発明における「遊技機」は、典型的にはパチンコ機やアレンジボール機等がこれに該当する。また本発明における「特典遊技」は、遊技者に所定の特典が付与された遊技態様であり、典型的には大当たり遊技状態がこれに該当する。また「ラウンド」は、例えばパチンコ機における開閉式の入賞口が所定回数だけ開閉し、あるいは遊技球が所定数入賞するまで特典遊技状態を継続するといったように、遊技者に所定の特典を付与する遊技状態の単位を指すものとする。また「第１のラウンド」とは、複数のラウンドのうちの任意の回のラウンドであれば足り、初めてのラウンド、所定回数だけラウンドが継続された後のラウンドのいずれも包含されるものとする。
【００１０】
さらに本発明における「次ラウンド移行条件」については、典型的には、大入賞口に設けられたＶゾーン等と称呼される特別な領域に遊技球が入賞することがこれに該当する。また「次ラウンド移行条件の達成を規制」するとは、上記例で言えば、特別領域に遊技球が入賞することを禁止あるいは困難にする態様がこれに該当する。また「次ラウンド移行条件の達成を第１のラウンドの満了まで保留」するとは、上記例で言えば、特別領域に入賞しようとする遊技球につき、第１のラウンドが満了するに至るまで保持し、特別領域に入賞するのを遅らせるといった態様がこれに該当する。この場合「第１のラウンドの満了」とは、当該ラウンドが満了する時のみならず、満了の直前あるいは満了の直後も包含するものとする。
【００１１】
（態様１）
請求項１に記載の遊技機であって、
前記第１のラウンドにおいては、前記第１の遊技状態から第３の遊技状態に切り替えられた後で、第２の遊技状態に切り替えられるように構成されていることを特徴とする遊技機。
【００１２】
態様１に記載の発明によれば、請求項１に記載の遊技機における第１のラウンドでは、第１の遊技状態から第３の遊技状態に切り替えられた後で、第２の遊技状態に切り替えられるように構成される。第１のラウンドから第２のラウンドに移行するには、第２の遊技状態あるいは第３の遊技状態にて入賞する必要があり、しかも第１のラウンドの満了まで遊技を満喫しつつ、さらに第２のラウンドに移行するには、上述の第２の遊技状態にて入賞するか、あるいは第１のラウンドが満了する直前における第３の遊技状態にて入賞するかのいずれしかなく、このため遊技者はラウンド中のどのタイミングで遊技球を入賞させるか等といった戦略を立案し、技量を向上する楽しみ方を味わうことが可能となり、趣向性に富んだ遊技機を構成することが可能となる。
【００１３】
（態様２）
態様１に記載の遊技機であって、
前記第１のラウンドにおいては、第３の遊技状態に切り替えられた後に所定のタイミングで所定の条件が達成された場合にのみ前記第２の遊技状態への切り替えが可能とされることを特徴とする遊技機。
【００１４】
態様２に記載の発明によれば、態様１に記載の遊技機における第１のラウンドでは、第３の遊技状態に切り替えられた後に所定のタイミングで所定の条件が達成された場合にのみ、第２の遊技状態への切り替えが可能とされるよう構成される。この構成では、第３の遊技状態に切り替えられた際に入賞した場合には、第１のラウンドの満了まで遊技を満喫することなく第２のラウンドに移行してしまうことになる。換言すれば、第１のラウンドの満了まで遊技を満喫しつつ、さらに第２のラウンドに移行するには、第３の遊技状態から第２の遊技状態に切り替えられた限定的なタイミングで入賞する必要がある。このため遊技者には、遊技技術を一層向上する動機付けが与えられることになり、遊技の趣向性が一層向上することとなる。
【００１５】
（態様３）
請求項１、または態様１あるいは２に記載の遊技機であって、
さらに前記特典遊技状態における第１のラウンド以前のラウンドにおいては、前記１の遊技状態と第２の遊技状態との間で切り替え可能に構成されていることを特徴とする遊技機。
【００１６】
態様３に記載の発明によれば、請求項１、または態様１あるいは２に記載の遊技機において、さらに特典遊技状態における第１のラウンド以前のラウンドにおいて、第１の遊技状態と第２の遊技状態との間で切り替え可能に構成される。すなわち第１のラウンド以前のラウンドでは、次ラウンドへの移行条件を達成するには、常に第２の遊技状態において入賞することを要する構成であり、換言すれば、当該ラウンドの満了まで遊技を満喫しつつ次ラウンドへの移行権を確保することが可能となる。一方、第１のラウンドでは、上述のように次ラウンドへの移行に関し、ラウンド満了までの遊技権を得ることが可能か否かは、第２の遊技状態あるいは第３の遊技状態のどこで入賞するかによって左右されることになり、遊技者の技量が遊技の結果に影響する度合いが大きくなる。こうした各ラウンドにおける特質を適宜併有させることで、遊技の趣向性に一層富んだ遊技機が提供されることとなる。
【００１７】
（態様４）
態様３に記載の遊技機であって、
前記第１のラウンドにおける前記第２の遊技状態の継続時間は、前記第１のラウンド以前のラウンドにおける前記第２の遊技状態の継続時間よりも短く設定されていることを特徴とする遊技機。
【００１８】
態様４に記載の発明によれば、態様３に記載の遊技機につき、第１のラウンドにおける第２の遊技状態の継続時間は、第１のラウンド以前のラウンドにおける第２の遊技状態の継続時間よりも短く設定される。この構成により、第１のラウンドでは、当該第１のラウンド以前のラウンドにおける場合に比べ、次ラウンドへの移行権を確保しつつ当該ラウンドの満了まで遊技を満喫することができる確率が相当程度低下することになるので、遊技者の一層の技量向上を促すことになり、遊技の趣向性の一層の向上に資する。
【００１９】
（態様５）
請求項１、または態様１から４までのいずれかに記載の遊技機であって、
遊技球が所定の入賞口に入賞することで前記次ラウンド移行条件が達成されるとともに、前記入賞口への遊技球の流通領域に入賞調整装置が配置され、
前記入賞調整装置は、
前記入賞口に遊技球が入賞するのを常時に規制することで前記第１の遊技状態とし、
前記入賞口よりも上流側において遊技球を保持することによって当該遊技球または後続の遊技球が前記入賞口に入賞するのを規制するとともに、前記第１のラウンドの満了時または満了の直前あるいは直後に、遊技球の保持を解除することで当該遊技球が前記入賞口に入賞するのを許容することで前記第２の遊技状態とし、
前記入賞口に遊技球が入賞するのを常時に許容することで前記第３の遊技状態とすることを特徴とする遊技機。
【００２０】
態様５に記載の発明によれば、請求項１または態様１から４までのいずれかに記載の遊技機において、遊技球が所定の入賞口に入賞することで次ラウンド移行条件が達成されるとともに、当該入賞口への遊技球の流通領域に入賞調整装置が配置される。この入賞調整装置では、入賞口に遊技球が入賞するのを常時に規制することで第１の遊技状態とする。また、入賞口よりも上流側において遊技球を保持することによって当該遊技球または後続の遊技球が入賞口に入賞するのを規制するとともに、第１のラウンドの満了時または満了の直前あるいは直後に、遊技球の保持を解除することで当該遊技球が前記入賞口に入賞するのを許容することで第２の遊技状態とする。さらに、入賞口に遊技球が入賞するのを常時に許容することで第３の遊技状態とする。
【００２１】
このように遊技球の入賞口への流通領域において当該遊技球の流通を適宜コントロールすることで、各遊技状態の切り替えにつき遊技者に視認し易い状態で遂行することが可能となる。
【００２２】
（態様６）
態様５に記載の遊技機であって、
前記入賞調整装置は、前記入賞口の上流側において前記遊技球の流通領域の有効断面積を変化することで前記第１から第３の遊技状態を切り替えることを特徴とする遊技機。
【００２３】
態様６に記載の発明によれば、態様５に記載の遊技機における入賞調整装置につき、入賞口の上流側において遊技球の流通領域の有効断面積を変化することで第１から第３の遊技状態を切り替えるよう構成される。遊技球の流通領域の有効断面積が変化することで、遊技状態の切り替えにつき、遊技者に視認し易く遂行することが可能となり、入賞タイミング等の戦略立案を容易化し、遊技の趣向性の一層の向上に資することとなる。
【００２４】
（態様７）
態様６に記載の遊技機であって、
前記入賞調整装置は、前記入賞口へと遊技球が流通する方向と交差する方向に移動することで前記流通領域の有効断面積を変化する可動部材を有することを特徴とする遊技機。
【００２５】
態様７に記載の発明によれば、態様６に記載の遊技機における入賞調整装置につき、入賞口へと遊技球が流通する方向と交差する方向に移動することで、流通領域の有効断面積を変化する可動部材を有するよう構成する。可動部材が遊技球の流通方向と交差状に移動することで流通領域の有効断面積を変化させ、これによって各遊技状態の切り替えが行なわれる構成を採用することで、遊技者の視認容易性を一層高め、遊技の趣向性を増大することが可能となる。
【００２６】
【発明の実施の形態】
以下、本発明の実施の形態に係るパチンコ機１０１につき図面を参照しつつ詳細に説明する。このうちパチンコ機１０１の全体構成が図１に示され、パチンコ機１０１における電動役物装置１０５の詳細な構成が図２に示され、さらにパチンコ機１０１の電装システム構成が図３に示される。なおパチンコ機１０１は、本発明における「遊技機」の一例である。図１に示すように、本実施の形態に係るパチンコ機１０１の遊技盤１０３の表面に形成された遊技領域１０４には、電動役物装置１０５、始動口１０７が、特に番号を付さない誘導釘、風車、一般入賞口といった周知の要素とともに、それぞれ適所に配置されている。
【００２７】
さらに上記遊技盤１０３の下方には上皿１１５が配置される。上皿１１５の背面側には、例えば遊技球入賞時、あるいは電動役物装置１０５にて各種の特別遊技状態を遂行する際の効果音を生じさせるためのスピーカが配置されている。さらに上皿１１５の下部には、発射ハンドル装置１１７、上皿１１５から送られる遊技球を貯留するための下皿１１９といった周知の要素が適宜配設されている。
【００２８】
電動役物装置１０５は、図２に示すように、遊技球１０２が入賞可能とされた大入賞口１０９、当該大入賞口１０９を開閉する開閉羽根１５１、後述するラウンド数情報等の遊技情報を表示する表示装置１５２、大入賞口１０９から入賞した遊技球１０２を一時的に滞留させる水平板１５３、水平板１５３に連接された入賞調整装置１５５、当該入賞調整装置１５５の下部に配置されたＶ入賞ゾーン１５７および通常入賞ゾーン１５９とを主体として構成されている。そして開閉羽根１５１が開放動作されることで大入賞口１０９に入賞した遊技球１０２は、水平板１５２の上面部に落下するとともに、当該水平板１５２上面を水平状に遊動しつつ入賞調整装置１５５に移動する。なお水平板１５２は、例えば棚板等とも一般に称呼される。入賞調整装置１５５は、遊技球１０２の流通路の開口断面積を適宜変化させることにより、当該遊技球１０２の通過を許容し、規制し、あるいは所定時間保留し、これによってＶ入賞ゾーン１５７および通常入賞ゾーン１５９に対する遊技球１０２の入賞の可否およびタイミングを適宜調整可能に構成される。その詳細については後述する。
【００２９】
さて、図１に示す各始動口１０７には、便宜上特に図示しない始動口センサ（図３において符号１３５で示される）が設定され、当該始動口センサによって始動口１０７に遊技球が入賞したことが検出される。遊技球が始動口１０７のいずれかに入賞すると、遊技盤１０３の裏面側に配置された賞球装置（図３において符号１３３で示される）から所定数の賞球が払い出される。さらに始動口１０７への入賞に伴い、図２に示す電動役物装置１０５において、開閉羽根１５１が所定回数開放動作される。本実施の形態では、どの始動口１０７に入賞するかによって、開閉羽根１５１の開放動作の回数が適宜変化されるよう構成されている。開閉羽根１５１が開放動作している最中に、さらに遊技球がＶ入賞ゾーン１５７（図２参照）に入賞することで、いわゆる大当たり状態が実現される。この大当たり状態は、本発明における「特典遊技状態」に対応するものであり、かかる大当たり状態が継続される遊技状態の単位を「ラウンド」として規定する。当該ラウンドは、次ラウンド移行条件が達成される場合を除いて、開閉羽根１５１が所定回数だけ開放動作されるか、あるいは遊技球が所定数だけ入賞するかのいずれかの条件が充足されるまで継続するように設定されている。
【００３０】
一方、本実施の形態における次ラウンド移行条件は、大当たり状態の実行中、すなわち一のラウンドにおける遊技中に、さらに遊技球が上記Ｖ入賞ゾーン１５７に入賞することによって達成される。すなわち一のラウンドにおいて遊技球がＶ入賞ゾーン１５７に入賞した場合、入賞と同時に当該ラウンドにおける大当たり状態での遊技が終了され、次の大当たり状態に係るラウンド（次ラウンド）が実行されるように設定されている。
【００３１】
本実施の形態に係るパチンコ機１０１の電装システムが図３に模式的に示される。図３に示すように、本実施の形態に係るパチンコ機１０１は、概略的に見て、
ＡＣ電源に接続された電源装置１２１に中継基板１２３を介して接続されたメイン制御部１２５を主体として構成される。メイン制御部１２５内には、特に図示しないもののＣＰＵ、メモリ、入力処理回路および出力処理回路が適宜設定されている。さらにメイン制御部１２５には、始動口センサ１３５およびＶ入賞センサ１３７が接続され、各センサ１３５，１３７からの検知信号が適宜入力される。またメイン制御部１２５には、ソレノイド１３９、表示制御部１３１、音制御部１２９、賞球制御部１２７がそれぞれ接続されている。また賞球制御部１２７には更に賞球の払出を実行する賞球装置１３３が接続されている。
【００３２】
ソレノイド１３９は、メイン制御部１２５内に設けられた出力処理回路（特に図示しない）からの駆動制御信号に基づいて適宜励磁・非励磁状態を切り替えることにより、上述のように図２に示す電動役物装置１０５の開閉羽根１５１の開閉駆動、および入賞調整装置１５５の駆動を行う。なお入賞調整装置１５５の駆動の詳細については後述する。表示制御部１３１は、メイン制御部１２５内に設けられた通信制御回路（特に図示しない）からの制御信号に基づいて電動役物装置１０５の表示装置１５２の駆動制御を行う。音制御部１２９は、同じくメイン制御部１２５内に設けられた通信制御回路からの制御信号に基づいて上記スピーカの音声出力を制御する。
【００３３】
賞球制御部１２７は、特に図示しないものの、内部にＣＰＵおよび入出力ポート等を備え、電源装置１２１から電源供給を受けて駆動されるとともに、始動口センサ１３５やＶ入賞センサ１３７からの検出信号を受けたメイン制御部１２５から適宜賞球制御信号を受けて、賞球装置１３３における賞球の払い出し制御を適宜行う。さらにメイン制御部１２５は、パチンコ機１０１を設置した遊技ホールに設けられたホールコンピュータ１４１に接続され、例えば大当たりの回数等といった遊技に関する営業情報を適宜出力する。
【００３４】
本実施の形態に係るパチンコ機１０１は上記のように構成される。次に当該パチンコ機１０１の作用について説明する。図１に示すパチンコ機１０１において、発射ハンドル装置１１７を介し、遊技盤１０３表面の遊技領域１０４に射出された遊技球が始動口１０７のいずれかに入賞すると、当該入賞した遊技球が図３に示す始動口センサ１３５によって検出される。これにより始動口センサ１３５からの検出信号がメイン制御部１２５に送られる。メイン制御部１２５は、賞球制御部１２７に制御信号を出力し、当該賞球制御部１２７は始動口１０７への入賞に応じた数の賞球を賞球装置１３３に払い出させる。またこの賞球払い出し情報はホールコンピュータ１４１に対しても出力される。なお始動口１０７への入賞は、遊技機１０１における特典遊技状態の開始条件に対応する。
【００３５】
さらにメイン制御部１２５は、ソレノイド１３９に制御信号を出力し、図２に示す開閉羽根１５１を所定回数だけ開放動作させる。開閉羽根１５１が開放動作することで大入賞口１０９が開放されて遊技球１０２の入賞が許容される。一方、開閉羽根１５１が閉鎖動作することで大入賞口１０９が閉鎖されて遊技球１０２の入賞が規制される。開閉羽根１５１が開放動作することで、開放された大入賞口１０９に入賞した遊技球１０２は、大入賞口１０９の下方に配置された水平板１５３の上面にて遊動しつつ入賞調整装置１５５を介してＶ入賞ゾーン１５７および通常入賞ゾーン１５９のいずれかに入賞する。遊技球１０２が通常入賞ゾーン１５９に入賞した場合には、図３に示す賞球装置１３３を介して所定数の賞球が払い出される。一方、開閉羽根１５１が開放動作している最中に遊技球１０２がＶ入賞ゾーン１５７に入賞した場合、パチンコ機１０１は大当たり状態となり、いわゆる特典遊技状態のラウンドが実行されることとなる。
【００３６】
上述したように、一のラウンドは、次ラウンド移行条件が達成されて終了する場合を除き、開閉羽根１５１が所定回数だけ開放動作されるか、あるいは遊技球が所定数だけ入賞するかのいずれかの条件が充足されるまで継続するように設定されている。一方、当該ラウンド実行中に次ラウンド移行条件が達成された場合、すなわち当該ラウンド実行中に遊技球１０２がＶ入賞ゾーン１５７に入賞した場合、当該ラウンドはＶ入賞ゾーン１５７への入賞の時点で終了し、次のラウンドに移行することとなる。換言すれば、特典遊技状態のラウンドは、所定の満了条件に至るまで継続可能とされるとともに、次ラウンド移行条件を充足することで次ラウンドへと移行し、これによってラウンドが重畳的に繰り返し可能に設定される。ところで、所定のラウンド継続中に次ラウンド移行条件が達成された場合、次ラウンド移行権が確保されるものの、そのラウンドにおいて最後まで有利な遊技条件を享有する権利、すなわちラウンド満了権が失効するという裏腹の関係となる。
【００３７】
この点に関し、本実施の形態に係るパチンコ機１０１では、二種類のラウンドを設定し、それぞれのラウンドにおいて各権利の確保の容易性を適宜変化させることで遊技の趣向性を向上させている。このうち、一方のラウンドは「通常ラウンド」として定義され、他方のラウンドは「技術介入ラウンド」として定義される。通常ラウンドでは、上述の次ラウンド移行権とラウンド満了権の双方が比較的容易に確保され易く設定され、技術介入ラウンドでは、両者を確保するのに遊技者の高度な技量が要求されるように設定されている。
【００３８】
本実施の形態では、通常ラウンドで遊技が行なわれるラウンドの回数については、図２に示すＶ入賞ゾーン１５７に遊技球１０２が入賞して大当たり状態が発生した際に、電動役物装置１０５の表示装置１５２を用いて所定の抽選作業を実行し、抽選結果に応じて適宜決定される。例えば抽選結果で「７」が表示された場合には、初回ラウンドから６回目のラウンドまでは通常ラウンドに設定され、次ラウンド移行権および当該ラウンド満了権が比較的容易に確保されるように構成している。一方、７回目以降のラウンドでは技術介入ラウンドに切替えられ、双方の権利の確保につき遊技者の遊技技術が介在する幅を大きく設定している。なお、この例の場合、７回目のラウンドが本発明における「第１のラウンド」に対応することとなる。
【００３９】
（通常ラウンドにおけるＶ入賞保留モード）
上記した通常ラウンドでは、入賞調整装置１５５は原則として図４に示す状態に設定される。この状態では、入賞調整装置１５５を構成する固定壁部１６３に対して、可動壁部１６５の離間距離を適宜調整し、可動壁部１６５から突出状に延在する遊技球保持片１６７によって、遊技球１０２が遊技球流通路１６１途上にて保持されるように設定される。なお可動壁部１６５は図３に示すソレノイド１３９によって駆動制御される。この状態では、遊技球保持片１６７によって保持された遊技球１０２は、入賞調整装置１５５の下方に位置するＶ入賞ゾーン１５７への入賞が保留された状態とされる。この状態を「Ｖ入賞保留モード」と定義することとする。
【００４０】
通常ラウンドにおいては、当該ラウンドの満了までＶ入賞保留モードが継続されるよう設定されている。そして当該ラウンドの満了の際には、図５に示すように、入賞調整装置１５５を構成する固定壁部１６３に対して、可動壁部１６５の離間距離を大きくし、可動壁部１６５から突出状に延在する遊技球保持片１６７による干渉を受けることなく遊技球１０２が流通路１６１を通過し、下方のＶ入賞ゾーン１５７に入賞することが許容されるように設定する。この状態を「Ｖ入賞許容モード」と定義することとする。Ｖ入賞許容モードでは、遊技球１０２は、入賞調整装置１５５を通じて直ちにＶ入賞ゾーン１５７に入賞することが許容される。なお、Ｖ入賞許容モードにおいては、遊技球１０２は流通路１６１を真っ直ぐに落下して、図２に示すＶ入賞ゾーン１５７に高確率で入賞され易く設定するのみであり、Ｖ入賞ゾーン１５７への入賞を確実に保証するものではない。
【００４１】
通常ラウンドでは、上記Ｖ入賞保留モードが継続されるとともに、開閉羽根１５１が所定回数だけ開放動作されるか、あるいは遊技球が所定数だけ入賞するかのいずれかの条件が充足されることによって当該ラウンドが満了する際に、図４に示すＶ入賞保留モードを解除し、図５に示すＶ入賞許容モードに移行する。これにより、それまで保留されていた遊技球１０２がＶ入賞ゾーン１５７に入賞することが許容されるので、次ラウンド移行権を高確率で確保しつつ、ラウンド満了権をも確保することが可能とされる。
【００４２】
（技術介入ラウンドにおけるＶ入賞規制モード）
一方、技術介入ラウンドでは、入賞調整装置１５５は原則として図６に示す状態に設定される。この状態では、入賞調整装置１５５を構成する固定壁部１６３に対して、遊技球保持片１６７が固定壁部１６３に当接するまで可動壁部１６５を近接させる。この結果、遊技球流通路１６１の有効断面積が減少し、入賞調整装置１５５は遊技球の通過および滞留を許容しない状態とされる。この状態を「Ｖ入賞規制モード」と定義することとする。Ｖ入賞規制モードでは、Ｖ入賞ゾーン１５７への入賞の確率が非常に小さく設定され、図２に示す遊技球１０２の殆どは通常入賞ゾーン１５９に入賞することとなる。
【００４３】
（技術介入ラウンドにおけるＶ入賞許容モード）
技術介入ラウンドの実行中、所定の条件を充足することにより、入賞調整装置１５５は、図６に示すＶ入賞規制モードから図７に示すＶ入賞許容モードに短時間だけ移行するように設定される。本実施の形態では、技術介入ラウンド実行中において、開閉羽根１５１（図２参照）の所定回数目の開閉動作の際に、Ｖ入賞規制モードからＶ入賞許容モードに移行するように設定されている。従って遊技者は、このＶ入賞許容モードに移行したタイミングを見計らってＶ入賞ゾーン１５７への遊技球入賞を狙わないと次ラウンド移行権を確保することができなくなる。すなわち、「技術介入」ラウンドとは、遊技者の遊技球入賞技術を介入させないと次ラウンドへの移行が確保できないラウンドとして定義される。
【００４４】
（技術介入ラウンドにおけるＶ入賞保留モード）
本実施の形態では、技術介入ラウンドにある場合、図７に示すＶ入賞許容モードが所定の短時間だけ維持された後、可動壁部１６５を固定壁部１６３側に近接動作することにより、再び図６に示すＶ入賞規制モードに復帰するように構成されている。従って、Ｖ入賞許容モードからＶ入賞規制モードに復帰するタイミングを見計らって遊技球１０２を流通路１６１に送り込むことに成功した場合、図８に示すように、固定壁部１６３に向かって移動する可動壁部１６５から延在した遊技球保持片１６７によって遊技球１０２が保持されることにより、Ｖ入賞保留モードが実現されることとなる。この場合、遊技球１０２は、当該技術介入ラウンドが満了する際に可動壁部１６５が固定壁部１６３から離間するように移動して、図７に示すＶ入賞許容モードに設定される際に、Ｖ入賞ゾーン１５７に入賞することが許容されることとなる。これにより、技術介入ラウンドにおいては、遊技者の入賞タイミング調整技能を介して、次ラウンド移行権とラウンド満了権の双方を確保することが可能となる。
【００４５】
すなわち、本実施の形態における技術介入モードでは、Ｖ入賞規制モードおよびＶ入賞許容モードに加え、両モードの移行タイミングをうまく利用してＶ入賞保留モードを設定することが可能とされる。従って遊技者は、技術介入モードでは、Ｖ入賞許容モードにおいてＶ入賞を得ることにより、ラウンド満了権は確保できないものの次ラウンド移行権が確保する作戦、あるいはＶ入賞許容モードからＶ入賞規制モードへの移行のタイミングを狙ってＶ入賞保留モードを確保することにより、次ラウンド移行権のみならずラウンド満了権をも確保する作戦を、自らの遊技技量に基づいて立案することが可能となり、遊技を一層楽しむことが可能となった。以上の構成により、元来、遊技に関する所定の特典確保の可否を遊技者の技術介入に依存させていた遊技形態において、さらに遊技者に高度な作戦立案を求める遊技手法を導入することが可能となり、遊技機における遊技態様を一層趣向性に富んだ形で遊技者に提示することが可能となった。
【００４６】
【発明の効果】
本発明によれば、遊技機における所定の入賞条件の達成を決定するため遊技態様を一層趣向性に富んだ態様で遊技者に提示することが可能な遊技機の構成技術が提供されることとなった。
【図面の簡単な説明】
【図１】本発明の実施の形態である遊技機における遊技盤の主要部の構成を正面視にて示す。
【図２】本実施の形態における電動役物装置の構成を示す部分的な正面図である。
【図３】本発明の実施の形態に係る遊技機のシステム構成を示すシステムブロック図である。
【図４】電動役物装置における入賞調整装置の構成を示す模式図である。図４では、入賞調整装置がＶ入賞保留モードとされた状態が示される。
【図５】電動役物装置における入賞調整装置の構成を示す模式図である。図５では、入賞調整装置がＶ入賞許容モードとされた状態が示される。
【図６】電動役物装置における入賞調整装置の構成を示す模式図である。図６では、技術介入ラウンドにおいて入賞調整装置がＶ入賞規制モードとされた状態が示される。
【図７】電動役物装置における入賞調整装置の構成を示す模式図である。図７では、技術介入ラウンドにおいて入賞調整装置がＶ入賞許容モードとされた状態が示される。
【図８】電動役物装置における入賞調整装置の構成を示す模式図である。図８では、技術介入ラウンドにおいて入賞調整装置がＶ入賞許容モードからＶ入賞規制モードに移行する最中に遊技球が保持されてＶ入賞保留モードとされた状態が示される。
【符号の説明】
１０１  パチンコ機
１０２  遊技球
１０３  遊技盤
１０４  遊技領域
１０５  電動役物装置
１０７  始動口
１０９  大入賞口
１１５  上皿
１１７  発射ハンドル装置
１１９  下皿
１２１  電源装置
１２３  中継基板
１２５  メイン制御部
１２７  賞球制御部
１２９  音制御部
１３１  表示制御部
１３３  賞球装置
１３５  始動口センサ
１３７  Ｖ入賞センサ
１３９  ソレノイド
１４１  ホールコンピュータ
１５１  開閉羽根
１５３  水平板
１５５  入賞調整装置
１５７  Ｖ入賞ゾーン
１５９  通常入賞ゾーン
１６１  遊技球流通路
１６３  固定壁部
１６５  可動壁部
１６７  遊技球保持片
【図１】
2004208909.tif 000003
【図２】
2004208909.tif 000004
【図３】
2004208909.tif 000005
【図４】
2004208909.tif 000006
【図５】
2004208909.tif 000007
【図６】
2004208909.tif 000008
【図７】
2004208909.tif 000009
【図８】
2004208909.tif 000010